(57)【要約】【課題】本発明は、ＦＰＣの上下面を逆に挿入しても、接続不良が発生することないコネクタを提供せんとするものである。【解決手段】本目的は、ＦＰＣと着脱自在に嵌合するコネクタであって、ＦＰＣと接触する接触部を上下方向両側に有する所要数のコンタクトと、このコンタクトが保持・固定されるとともにＦＰＣが挿入される嵌合口を有するハウジングとを備えるコネクタにおいて、ＦＰＣのコンタクトとの接点が千鳥に配列されている際に、コンタクトの上下方向の接触部を千鳥に配置することで達成できる。【選択図】  図２
2004178959.tif 000002
【特許請求の範囲】
【請求項１】
フレキシブルプリント基板（ＦＰＣ）と着脱自在に嵌合するコネクタであって、該フレキシブルプリント基板と接触する接触部を上下方向両側に有する所要数のコンタクトと、このコンタクトが保持・固定されるとともに前記フレキシブルプリント基板が挿入される嵌合口を有するハウジングとを備えるコネクタにおいて、
前記フレキシブルプリント基板の前記コンタクトとの接点が千鳥に配列されている際に、前記コンタクトの上下方向の接触部を千鳥に配置したことを特徴とするコネクタ。
【発明の詳細な説明】
【０００１】
【発明の属する技術分野】
本発明は、携帯電話やノートパソコンやデジタルカメラ等の電子機器や電気機器に使用されるコネクタに関するもので、特にフレキシブルプリント基板（以下「ＦＰＣ」という）を逆挿入した場合の誤接続構造に関するものである。
【０００２】
【従来の技術】
【特許文献１】
例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【０００３】
上述のようにスライダーを用いたものではなく、ＦＰＣを前記ハウジングの嵌合口内に挿入して、前記コンタクトの接触部に接触させ、接続する構造のものも多々ある。この場合は、上述したゼロインサーションフォースではなく、ＦＰＣ挿入時に圧力がかかるものである。
前記ＦＰＣと前記コンタクトを接触させる場合には、接触部を接触し易いように湾曲させることがあり、前記接触部は前記ＦＰＣを挟み込むように対称位置に設けられている。また、コネクタの狭小化を図るため、コンタクトが千鳥に配置されることが多くなってきている。
【０００４】
【発明が解決しようとする課題】
上述したように、前記コンタクトの接触部が前記ＦＰＣを挟み込むように対称位置に設けられたコネクタでは、コネクタの狭小化を図るためコンタクトが千鳥に配置されていると、ＦＰＣ上のパターンも千鳥に配置されているので、ＦＰＣの上下面を逆にコネクタの嵌合口へ挿入しても前記コンタクトの接触部と前記ＦＰＣのパターンとが接触してしまい、接続不良が発生することがあった。
また、接続不良が発生すると、コネクタ自体や基板自体を交換する必要が生じ、コストアップに繋がってしまうこともあった。
【０００５】
本発明は、このような従来の問題点に鑑みてなされたもので、ＦＰＣの上下面を逆に挿入しても、接続不良が発生することないコネクタを提供せんとするものである。
【０００６】
【課題を解決するための手段】
本目的は、ＦＰＣと着脱自在に嵌合するコネクタ１０であって、該ＦＰＣと接触する接触部２２、２２を上下方向両側に有する所要数のコンタクト１４、１４１と、このコンタクト１４、１４１が保持・固定されるとともに前記ＦＰＣが挿入される嵌合口１８を有するハウジング１２とを備えるコネクタ１０において、前記ＦＰＣの前記コンタクト１４、１４１との接点が千鳥に配列されている際に、前記コンタクト１４、１４１の上下方向の接触部２２、２２を千鳥に配置することで達成できる。
【０００７】
【発明の実施の形態】
本発明の重要な特徴は、「前記コンタクト１４、１４１の上下方向の接触部２２、２２を千鳥に配置する」点にある。この特徴を活かした形態には、３つタイプがある。３つのタイプとも、ＦＰＣをコンタクトに接触させる構造である点では同じであるが、ＦＰＣをコンタクトに接触させる仕方に相違がある。
第一の構造のコネクタ１０は、主にハウジング１２とコンタクト１４、１４１とスライダー１６とを備えており、前記スライダー１６が回動してＦＰＣをコンタクト１４、１４１に押しつけるタイプのものであり、所謂ピアノタッチ方式と称するタイプのコネクタ１０である。前記スライダー１６を回動させる位置としては、嵌合側であったり、コンタクト接続側（テール側）であったりする。以下の実施例では、このタイプのものを詳細に説明する。
【０００８】
第二の構造のコネクタは、第一と同様に主にハウジングとコンタクトとスライダーとを備えており、前記スライダーを前記ハウジングの嵌合口へ挿入して、前記ＦＰＣを前記コンタクトに押しつけるタイプのものであり、所謂ＺＩＦ構造（ゼロ  インサーション  フォース）タイプ）のコネクタと称するものである。即ち、前記ハウジングの嵌合口から前記ＦＰＣを挿入した後に、前記スライダーを前記嵌合口内に挿入して、前記ＦＰＣを前記コンタクトに押しつけるものである。
第三の構造のコネクタは、主にハウジングとコンタクトとを備えており、前記ＦＰＣを前記ハウジングの嵌合口へ挿入して、前記ＦＰＣを前記コンタクトに接触させる（押しつける）タイプのものであり、スライダーを使用しない所謂ＮＯＮ  ＺＩＦタイプのコネクタと称されるものである。即ち、前記ＦＰＣの厚さより狭い、前記コンタクト接触部間や前記コンタクトと前記ハウジングとの間に、前記ＦＰＣを無理に挿入して、前記コンタクトに接触させる（押しつける）ものである。
上述した３つの構造のもの全てに、前記コンタクトの上下方向の接触部を千鳥に配置したことは言うまでもない。
【０００９】
【実施例】
図１から図４に基づいて、本発明のコネクタの一実施例について説明する。
図１は一実施例の本発明のコネクタの斜視図であり、図２は２つのコンタクトの配列状態を示した斜視図である。図３は一方のコンタクトの斜視図であり、図４はもう一方のコンタクトの斜視図である。
一実施例の本発明のコネクタ１０は、主にハウジング１２とコンタクト１４、１４１とスライダー１６とを備えている。
【００１０】
図に基づいて本発明のコネクタ１０の構成部品について説明する。
まず、本発明のポイントである２種類のコンタクト１４、１４１について説明する。この２種類のコンタクト１４、１４１は金属製であり、公知技術のプレス加工によって製作されている。前記コンタクト１４、１４１の材質としては、バネ性や導電性などが要求されるので、黄銅やベリリウム銅やリン青銅等を挙げることができる。
【００１１】
一方の前記コンタクト１４は、図３のように倒略Ｈ形状をしており、主にＦＰＣ又はＦＦＣと接触する接触部２２と基板に接続する接続部２４とハウジング１２に固定する固定部４２と前記接触部２２と前記接続部２４との間に設けられた弾性部３４及び支点部３２と前記接続部２４と対向する位置に前記弾性部３４から延設された押受部２０と支点部３２から延設した方向にも前記ＦＰＣ又はＦＦＣと接触するもう一つの接触部２２とを備えている。上方側の前記接触部２２（図２の図面の上側）と前記弾性部３４と前記支点部３２と前記接続部２４とは、略クランク形状に配置されている。前記接触部２２は、ＦＰＣ又はＦＦＣと接触し易いように凸部形状にしており、前記接続部２４は本実施例では図１のように表面実装タイプ（ＳＭＴ）にしているが、ディップタイプでも良い。即ち、２つの接触部２２、２２を設けて、前記ＦＰＣ又はＦＦＣを挟持するようにする。前記ＦＰＣ又はＦＦＣの挿入方向に対して、直角方向両側に接触部２２、２２を設けることで、前記ＦＰＣ又はＦＦＣを２つの接触部２２、２２で挟持することになり、確実に前記ＦＰＣ又はＦＦＣと接触できるようになる。
【００１２】
前記支点部３２と前記弾性部３４と前記押受部２０とは、前記ＦＰＣ又はＦＦＣが挿入された際に、次のような作用を果たすための部分である。前記ＦＰＣ又はＦＦＣが前記ハウジング１２の嵌合口１８内に挿入された後に、前記スライダー１６の押圧部３６が前記コンタクト１４の接続部２４と押受部２０との間で回動すると、前記押受部２０が押圧部３６によって押し上げられることで前記コンタクト１４の支点部３２を支点にし、前記コンタクト１４の弾性部３４が前記接触部２２側に傾くことによって、前記接触部２２が前記ＦＰＣ又はＦＦＣ側に押圧される。前記支点部３２と前記弾性部３４と前記押受部２０の大きさや形状は、このような作用を果たすために、適宜設計されている。また、前記コンタクト１４の押受部２０の先端に突出部２６を設け、スライダー１６の押圧部３６をコンタクト１４の押受部２０と接続部２４との間で回動させるとき、前記スライダー１６の係止孔３０に係合させることで、スライダー１６の回動に対する強い反発力に対抗し、スライダー１６の中央部が図１の矢印「ロ」方向に膨れてしまうことを防ぐようにすることが望ましい。前記突出部２６の大きさは、このような役割を果たすことが出来れば如何なる大きさでもよく、スライダー１６の押圧部３６が引っ掛かる程度に適宜設計する。
【００１３】
もう一方のコンタクト１４１について説明する。ここでは、上述した一方のコンタクト１４との相違部分についてのみ説明する。もう一方の前記コンタクト１４１も図４のように倒略Ｈ字形状をしており、主にＦＰＣ又はＦＦＣと接触する接触部２２と基板に接続する接続部２４とハウジング１２に固定する固定部４２と前記接触部２２と前記接続部２４との間に設けられた弾性部３４及び支点部３２と前記弾性部３４から延設された押受部２０と前記支点部３２からも接続部２４と反対方向に延設された延設部４４とを備え、前記接触部２２と前記弾性部３４と前記支点部３２と前記接続部２４とは略コ字形状に配置されている。前記接続部２４は、一方のコンタクトと同様に表面実装タイプ（ＳＭＴ）にしているが、ディップタイプでも良い。
【００１４】
前記支点部３２と前記弾性部３４と前記押受部２０とは、一方のコンタクト１４と同様に、前記ＦＰＣ又はＦＦＣが挿入された際に、前記スライダー１６の押圧部３６が前記コンタクト１４１の押受部２０と延設部４４との間で回動すると、前記押受部２０が押圧部３６によって押し上げられることで前記コンタクト１４１の支点部３２を支点にし、前記コンタクト１４１の弾性部３４が前記接触部２２側に傾くことによって、前記接触部２２が前記ＦＰＣ又はＦＦＣ側に押圧される。前記支点部３２と前記弾性部３４と前記押受部２０の大きさや形状は、このような作用を果たすために、適宜設計されている。また、前記コンタクト１４１の押受部２０の先端に突出部２６を設け、スライダー１６の押圧部３６を回動させるとき、前記スライダー１６の係止孔３０に係合させることで、スライダー１６の回動に対する強い反発力に対抗し、スライダー１６の中央部が図１の矢印「ロ」方向に膨れてしまうことを防ぐようにすることが望ましいが、ピッチの狭小化による前記スライダー１６の強度を考慮すると、２種類あるコンタクト１４、１４１の内、一方のコンタクト１４に設けておけば、十分である。前記突出部２６の大きさは、このような役割を果たすことが出来れば如何なる大きさでもよく、スライダー１６の押圧部３６が引っ掛かる程度に適宜設計する。
【００１５】
上述した２つの前記コンタクト１４、１４１は、前記ＦＰＣが嵌入される部分の形状は略コ字形状をしており、コンタクト１４、１４１の接触部２２でＦＰＣを挟持するような構造になっている。
前記接触部２２、２２は、前記ＦＰＣの前記コンタクトとの接点が千鳥に配列されていることに対応して、図２のように前記コンタクト１４、１４１の上下方向で千鳥に配置されている。また、コネクタを狭小化するために、２つの前記コンタクト１４、１４１は、図２のように、千鳥に配置されている。即ち、一方の前記コンタクト１４が前記ハウジング１２の接続側より挿入され、もう一方の前記コンタクト１４１が前記ハウジング１２の嵌合口１８側より挿入されている。
【００１６】
次にに、ハウジング１２について説明する。このハウジングは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクト１４、１４１が装着される挿入溝３８が設けられており、圧入や引っ掛け（ランス）や溶着等によって固定されている。
【００１７】
前記ハウジング１２の長手方向両側には、前記スライダー１６の軸２８が回動可能に装着される軸受部が設けられている。この軸受部の形状や大きさは、スライダー１６の軸２８が回動できるように装着されていれば如何なるものでもよく、この役割やハウジング１２の強度や大きさ等を考慮して適宜設計する。さらにまた、長手方向両側には、前記スライダー１６のロック部に対応した位置に係止部が設けられている。
【００１８】
最後に、スライダー１６について説明する。このスライダー１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は主にハウジング１２に回動可能に装着される軸２８部分と前記コンタクト１４、１４１の押受部２０を押圧する押圧部３６と前記コンタクト１４、１４１の突出部２６が係合する係止孔３０とを備えている。前記軸２８は、スライダー１６を回動するための支点であり、ハウジング１２の長手方向両側にスライダー１６が回動可能に適宜装着されている。また、長手方向両側には、前記コンタクト１４、１４１の押受部２０を押圧した際にスライダー１６が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタの大きさや強度等を考慮して適宜設計する。
【００１９】
前記押圧部３６は、コンタクト１４、１４１の押受部２０に押し付ける部分であり、その形状としては細長形状にすることが望ましく、本実施例では楕円形状をしている。このように楕円形状にすることによって、図１のようにスライダー１６を矢印「イ」方向に回動させ、コンタクト１４の押受部２０と接続部２４との間で回転させることで、押圧部３６の大きさの変化によりコンタクト１４の押受部２０が持ち上げられ、ＦＰＣ又はＦＦＣをコンタクト１４の接触部２２側に押し付けている。押圧部３６の形状としては、コンタクト１４の押受部２０と接続部２４との間で回転でき、長軸と短軸といった大きさの違いによりコンタクト１４の押受部２０を押し上げられれば、如何なるものでもよい。
また、前記スライダー１６を回動した際に、スライダー１６の回動に対する反発力が強く、スライダー１６の中央部が図１の矢印「ロ」方向に膨れてしまうことを防ぐようにする為に、前記コンタクト１４の突出部２６が係合する係止孔３０が別個独立に設けられている。前記係止孔３０を別個独立に設けることで、スライダー１６の強度アップや回動時の変形を防止している。
【００２０】
【発明の効果】
以上の説明から明らかなように、本発明のコネクタ１０によると、次のような優れた効果が得られる。
（１）前記ＦＰＣの前記コンタクト１４、１４１との接点が千鳥に配列されている際に、前記コンタクト１４、１４１の上下方向の接触部２２、２２を千鳥に配置しているので、ＦＰＣを逆挿入しても、接続不良が発生することない。
（２）ＦＰＣを逆挿入しても、接続不良が発生することが無くなったので、コネクタ１０や基板自体を交換することが無くなり、コストアップに繋がることがない。
（３）ＦＰＣの接点と対応した位置にコンタクト１４、１４１の接触部２２、２２が設けられているので、安定した接続を得ることが出来る。
【図面の簡単な説明】
【図１】一実施例の本発明のコネクタの斜視図である。
【図２】２つのコンタクトの配列状態を示した斜視図である。
【図３】一方のコンタクトの斜視図である。
【図４】もう一方のコンタクトの斜視図である。
【図５】スライダーの斜視図である。
【符号の説明】
１０          コネクタ
１２          ハウジング
１４、１４１  コンタクト
１６          スライダー
１８          嵌合口
２０          押受部
２２          接触部
２４          接続部
２６          突出部
２８          軸
３０          係止孔
３２          支点部
３４          弾性部
３６          押圧部
３８          挿入溝
４２          固定部
４４          延設部
【図１】
2004178959.tif 000003
【図２】
2004178959.tif 000004
【図３】
2004178959.tif 000005
【図４】
2004178959.tif 000006
【図５】
2004178959.tif 000007